(57)【要約】【課題】  ２本の光ファイバを使用したＷＤＭ方式の双方向自己回復環状網を提供して、光ファイバの設置及び保持費用を節減し、網を効率的に運用できるようにした光分岐結合器を利用する双方向自己回復環状光通信網を提供する。【解決手段】  外側環状網６及び内側環状網５で反対回りに光信号を処理するＷＤＭ方式の双方向自己回復環状光通信網において、各ノードが、逆多重化器及び多重化器を有する光分岐結合器３１０〜３４０と、この光分岐結合器の両端に配置される一対の光スイッチング装置２１０〜２８０と、この一対の光スイッチング装置と光分岐結合器との間にそれぞれ配置され、２本のポートが光スイッチング装置に且つ１本のポートが光分岐結合器に連結されている一対の循環器４１０〜４８０と、を備え、光スイッチング装置は、障害発生に応じて、平行状態と交差状態との間で選択的にスイッチングすることを特徴とする。【選択図】  図２
2004242314.tif 000002
【特許請求の範囲】
【請求項１】
光信号の伝送のための外側環状網及び内側環状網を有する波長分割多重方式の双方向自己回復環状光通信網において、
各ノードが、１×Ｎ逆多重化器及び１×Ｎ多重化器を有する少なくとも１つの光分岐結合器と、前記光分岐結合器の両端に位置し、前記光分岐結合器と光ファイバリンクとの間にそれぞれ配置される一対の光スイッチング装置と、前記一対の光スイッチング装置と前記光分岐結合器との間にそれぞれ配置され、２本のポートが対応する光スイッチング装置に連結され且つ１本のポートが前記光分岐結合器に連結されている一対の循環器と、を備え、
前記光スイッチング装置は、隣接ノード間の光ファイバリンク障害発生に応じて、平行状態と交差状態との間で選択的にスイッチングすることを特徴とする双方向自己回復環状光通信網。
【請求項２】
光ファイバリンクの障害検出に応じて、光スイッチング装置は、光信号を正常時とは反対方向にループバックすることによって光信号の方向を変更するように動作する請求項１記載の双方向自己回復環状光通信網。
【請求項３】
ループバックされた光信号の損失を補償するための光増幅器をさらに備える請求項１記載の双方向自己回復環状光通信網。
【請求項４】
一対の循環器の各１本のポートと光分岐結合器との間に位置し、光ファイバリンクの伝送損失と光スイッチング装置及び循環器による挿入損失とを補償するための光増幅器をさらに備える請求項１記載の双方向自己回復環状光通信網。
【請求項５】
光スイッチング装置は、２×２光スイッチである請求項１記載の双方向自己回復環状光通信網。
【請求項６】
外側環状網は光信号を時計方向に伝送し、内側環状網は光信号を反時計方向に伝送する請求項１記載の波双方向自己回復環状光通信網。
【発明の詳細な説明】
【技術分野】
【０００１】
本発明は、光通信網に関し、特に、波長分割多重(wavelength division multiplexing；ＷＤＭ)技術に基づいた光通信網に関する。
【背景技術】
【０００２】
最近、１本の光ファイバを通じて複数の光信号を伝送するＷＤＭ技術及び環状網で光信号の経路設定(routing)、スイッチング(switching)及び分岐／結合を含む関連製造技術が発展するにつれて、超高速大容量光信号の伝送を提供する光通信網の構築が可能になった。
【０００３】
一般的に、ＷＤＭ方式の光通信網は、光回線分配装置(Optical Cross-Connector；ＯＸＣ)を使用する網目状網と光分岐結合器を使用する環状網とに分けることができる。網目状網の場合、各光通信網のノードが複数の光ファイバに連結されているので、リンク障害を解決するための切替えメカニズムが複雑であり、保護切替えの速度も遅い。しかし、環状網は、網ノードである光分岐結合器に２本の光ファイバまたは４本の光ファイバが連結されるのみなので、障害に対する切替えメカニズムが容易であって現在一番広く実現されている。
【０００４】
ＷＤＭ方式環状光通信網のノードは、光信号の分岐(drop)または結合(add)のためのスイッチング装置が備えられた光分岐結合器と、網の保護切替えを遂行するためのスイッチング装置とから構成することができる。このような環状網は、入出力光ファイバの数に該当する２本または４本の光ファイバを使用し、データの伝送方向に応じて単方向伝送網と双方向伝送網とに分けることができる。
【０００５】
図１（ａ）は、一般的なＷＤＭ方式の環状光通信網の構造を示し、図１（ｂ）は、リンク障害を解決するための切替え動作を示す。特に、図１（ａ）及び図１（ｂ）は、４本の光ファイバを有する双方向環状光通信網の構成を示す。４本の光ファイバで構成され、双方向に光信号を伝送する従来のＷＤＭ方式の環状通信網は、ループバック(loop-back)原理に基づいたリンク保護切替え方法を使用する。
【０００６】
図示のように、環状光通信網の第１外側環状網４は、正常動作の場合に使用される。第１外側環状網４の光ファイバリンクに障害が発生した場合、環状光通信網の第２外側環状網３が、ループバック原理に基づいて光信号の迂回路を提供するように使用される。この場合、２×２光スイッチング装置１１０ａ〜１８０ａは、光分岐結合器１０ａ〜４０ａの両端で第１外側環状網４及び第２外側環状網３に連結される。外側環状網３，４の構成と同様に、内側環状網１，２も正常動作のための第１内側環状網１と復旧切替え動作のための第２内側環状網２とから構成される。同様に、２×２光スイッチング装置１１０ｂ〜１８０ｂがループバック動作のために提供され、また、光分岐結合器１０ｂ〜４０ｂの両端で第１内側環状網１及び第２内側環状網２に連結されている。
【０００７】
従来の４本の光ファイバを使用する環状光通信網は、外側環状網３，４と内側環状網１，２とが共有する資源がないので、光信号の伝送のために使用する波長を同一の値に設定することができる。すなわち、外側リング３，４の場合、λ１，λ２，λ３，・・・，λＮの波長を有する光信号を伝送し、また、内側リング１，２の場合もλ１，λ２，λ３，・・・，λＮの波長を有する光信号を伝送する。双方向伝送であれば、外側リング３，４は、光信号を時計方向に伝送し、内側リングは、光信号を反時計方向に伝送する。
【０００８】
リンク障害が発生する場合、障害が発生したリンクの両端に位置した２個の２×２光スイッチング装置を使用して光信号をループバックして反対方向に伝送することにより、切替え動作を遂行する。例えば、図１（ｂ）に示すように、光分岐結合器１０ａ（ＯＡＤＭ１ａ）及び光分岐結合器２０ａ（ＯＡＤＭ２ａ）を連結する第１外側環状網４の光ファイバのリンクに障害が発生する場合、光分岐結合器１０ａから光分岐結合器２０ａに伝送されるべき光信号λ１，λ２，λ３，・・・，λＮは、スイッチング装置１２０ａ（ｓｗ１２）を通じて保護切り替え用の第２外側環状網３にループバックされ、第２外側環状網３を通じて反時計方向に伝送される。最終的に、第２外側環状網３を通じて伝送された光信号λ１，λ２，λ３，・・・，λＮは、光スイッチング装置１３０ａ（ｓｗ２１）を通じて光分岐結合器２０ａに伝達される。
【０００９】
図１（ａ）の光スイッチング装置１２０ａに示すように、光伝送リンクが正常動作する場合、２×２光スイッチング装置は平行状態(bar state)にあり、入力＃１（ｉ１）に印加された信号は出力＃１（ｏ１）に伝達され、入力＃２（ｉ２）に印加された信号は出力＃２（ｏ２）に伝達される。一方、光リンクで障害が発生する場合、光スイッチング装置は交差状態(cross state)になるので、入力＃１（ｉ１）に印加された信号は出力＃２（ｏ２）に伝達され、入力＃２（ｉ２）に印加された信号は出力＃１（ｏ１）に伝達される。このとき、障害が発生したリンクに隣接していないノードの光スイッチング装置は、そのまま平行状態にある。
【００１０】
このように双方向自己回復環状光通信網の実現においては、４本の光ファイバが必要であり、これにより、網の複雑化且つコスト増加をもたらしている。
【発明の開示】
【発明が解決しようとする課題】
【００１１】
上記背景に鑑みて、本発明の目的は、従来の４本の光ファイバを使用する代わりに、２本の光ファイバを使用したＷＤＭ方式の双方向自己回復環状網を提供して、光ファイバの設置及び保持費用を節減し、網を効率的に運用できるようにした、循環器を備えた光分岐結合器を利用するＷＤＭ方式の双方向自己回復環状光通信網を提供することにある。
【課題を解決するための手段】
【００１２】
このような目的を達成するために、本発明によれば、外側環状網及び内側環状網でそれぞれＮ個の光信号を処理するＷＤＭ方式の双方向自己回復環状光通信網において、各ノードが、１×Ｎの容量をそれぞれ有する逆多重化器及び多重化器を有する光分岐結合器と、この光分岐結合器の両端で光分岐結合器と他のノード間に介在する光ファイバリンクとの間にそれぞれ配置される一対の光スイッチング装置と、この一対の光スイッチング装置と光分岐結合器との間にそれぞれ配置され、２本のポートが光スイッチング装置にそれぞれ連結され且つ１本のポートが光分岐結合器に連結されている一対の循環器と、を備え、光スイッチング装置は、たとえば循環器の２本のポートにそれぞれ連結された２個の入出力端に対して、光ファイバリンクが正常状態の場合と障害が発生した場合とを区分し、入力される光信号をスイッチングすることで、隣接ノード間の光ファイバリンク障害発生に応じて、平行状態と交差状態との間で選択的にスイッチングすることを特徴とする。一対の光スイッチング装置間は、保護切替え経路のための光ファイバで連結しておくようにするとよい。
【００１３】
光スイッチング装置は、光ファイバリンクの障害検出に応じて、光信号を正常時とは反対方向にループバックすることによって光信号の方向を変更するように動作するものとする。また、ループバックされた光信号の損失を補償するための光増幅器をさらに備えることもできる。さらに、一対の循環器の各１本のポートと光分岐結合器との間に位置し、光ファイバリンクの伝送損失と光スイッチング装置及び循環器による挿入損失とを補償するための光増幅器をさらに備えることもできる。
【発明の効果】
【００１４】
本発明は、効率的な保護切替えが可能な双方向自己回復環状光通信網を提供することにより、復旧切替えのために光ファイバのリンクを追加せず、簡単な受動素子である循環器を使用して光ファイバリンクの数を半分に減少させることができる。
【発明を実施するための最良の形態】
【００１５】
以下、本発明の好適な実施形態について添付図を参照しつつ詳細に説明する。下記説明において、本発明の要旨のみを明瞭にするために公知の機能又は構成に対する詳細な説明は省略する。
【００１６】
本発明は、従来の４本の光ファイバを使用する代わりに、２本の光ファイバを使用するＷＤＭ方式の双方向自己回復環状光通信網を実現することによって、光ファイバの設置及び維持費を節減して効率的な運用を保証する。
【００１７】
図２（ａ）及び図２（ｂ）は、循環器を備えた光分岐結合器及び２×２光スイッチング装置を利用した本発明のＷＤＭ方式自己回復環状光通信網の構成例を示す。具体的に、図２（ａ）は、網が伝送リンクの障害なく正常動作する場合を示し、図２（ｂ）は、光分岐結合器３１０ａ（ＯＡＤＭ１ａ）を光分岐結合器３２０ａ（ＯＡＤＭ２ａ）に連結する光ファイバの伝送リンクに障害が発生した場合を示す。
【００１８】
図２（ａ）及び図２（ｂ）に示すように、２本の光ファイバで構成された環状光通信網において、双方向伝送のために外側環状網６は時計方向に光信号を伝送し、内側環状網５は反時計方向に光信号を伝送する。このような形態の網は、光信号の伝送のための１個以上のノードを有する。ここで、本発明は、説明の便宜上、外側環状網６を中心にして説明する。しかし、本発明における通常の知識を有する者であれば、内側環状網５にも同様に適用されることが分かる。
【００１９】
外側環状光通信網６の各ノードは、１×Ｎの容量をそれぞれ有する逆多重化器及び多重化器を有する光分岐結合器３１０ａ〜３４０ａを備える。これら光分岐結合器３１０ａ〜３４０ａの両端は、他の隣接ノードに連結される光ファイバリンクにそれぞれ連結される。そして、各ノード一対のスイッチング装置２１０ａ〜２８０ａが、光分岐結合器と光ファイバリンクとの間に連結されている。
【００２０】
外側環状光通信網６の各ノードは、光分岐結合器３１０ａ〜３４０ａと一対のスイッチング装置２１０ａ〜２８０ａとの間にそれぞれ連結された一対の循環器４１０ａ〜４８０ａを備える。一対の循環器４１０ａ〜４８０ａは、３本のポートを有する。その２本のポートは光スイッチング装置２１０ａ〜２８０ａにそれぞれ連結されており、１本のポートは光分岐結合器３１０ａ〜３４０ａに連結されている。３本のポートを有する循環器４１０ａ〜４８０ａは、ポート＃１に入力された信号がポート＃２に出力され、ポート＃２に入力された信号がポート＃３に出力されるように構成されている。
【００２１】
図２（ｂ）を参照すると、光ファイバのリンクに障害が発生する場合、光信号は、障害が発生したリンクの両端に位置した２個の２×２光スイッチング装置と２個の循環器を使用してループバックされて反対方向に伝送される。図示の例の場合、２×２光スイッチング装置２２０ａ（ｓｗ１２）及びスイッチング装置２３０ａ（ｓｗ２１）の連結状態を交差(cross)状態に変えて送信信号をループバックする。具体的に、外側環状網６において、２×２光スイッチング装置２２０ａからスイッチング装置２３０ａに進行する光信号λ１，λ２，λ３，・・・，λＮがループバックされる場合、該光信号は、光スイッチング装置２２０ａの出力＃２（ｏ２）に伝達されて他端の光スイッチング装置２１０ａ（ｓｗ１１）の入力＃２（ｉ２）に印加される。
【００２２】
すなわち、光スイッチング装置２２０ａの入力＃１（ｉ１）に入力される光信号は、スイッチング制御信号(図示省略)に従って光スイッチング装置２２０ａが入力＃１（ｉ１）を、出力＃１（ｏ１）から出力＃２（ｏ２）にスイッチングすることによって出力＃２（ｏ２）へ出力される。光スイッチング装置２２０ａの出力＃２（ｏ２）から出力された光信号は、保護／復旧切替えのための光ファイバのライン７を通じて光スイッチング装置２１０ａの入力＃２（ｉ２）に印加される。
【００２３】
光スイッチング装置２１０ａの入力＃２（ｉ２）に印加された信号は、循環器４１０ａ（ｃｉｒ１１）のポート＃１に伝達される。そして光信号は、循環器４１０ａのポート＃１からポート＃２に伝達されて光スイッチング装置２１０ａの出力＃１（ｏ１）へ出力される。すなわち、循環器４１０ａのポート＃２から出力された光信号は、光スイッチング装置２１０ａの出力＃１（ｏ１）から入力＃１（ｉ１）へ逆方向に進行する。光スイッチング装置は、入力及び出力信号の方向性を変更するためだけに連結されているので、逆方向に伝送される信号も、光スイッチング装置によって何らの影響も受けない。そこで、図２（ｂ）に示すように、光スイッチング装置２１０ａの入力＃１（ｉ１）には、時計方向に伝送される信号が伝送され且つ反時計方向にループバックされる信号が出力される。
【００２４】
障害が発生した光ファイバのリンクに隣接していないノードの光スイッチング装置は平行状態を保持する。このような状態で、光分岐結合器３１０ａからループバックされて反時計方向に伝送されてくる光信号は、光スイッチング装置２８０ａ（ｓｗ４２）を通じて循環器４８０ａ（ｃｉｒ４２）のポート＃２に入力される。循環器４８０ａのポート＃２に入力された光信号は、当該循環器４８０ａのポート＃３に出力され、さらに光スイッチング装置２８０ａを通じて他端の光スイッチング装置２７０ａ（ｓｗ４１）に伝達される。以降同様にして、ループバックされた信号は結局、光スイッチング装置２３０ａの入力＃２（ｉ２）へ伝送される。光スイッチング装置２３０ａは交差状態にあるので、当該光スイッチング装置２３０ａの入力＃２（ｉ２）に入力された光信号は出力＃１（ｏ１）に伝達されて、循環器４３０ａ（ｃｉｒ２１）のポート＃２に伝達される。循環器４３０ａのポート＃２に入力された光信号はポート＃３に出力されることにより、リンク障害に対する復旧切替えが遂行される。
【００２５】
図３は、本発明に係る光分岐結合器及び２×２光スイッチング装置の構成を詳細に示した例である。
【００２６】
図２（ａ）及び図２（ｂ）と関連させて説明すると、外側環状網の光分岐結合器ＯＡＤＭａ(３１０ａ)は時計方向に進むλ１，λ２，λ３，・・・，λＮ波長を有する光信号の分岐及び結合を遂行するように機能する。一方、内側環状網の光分岐結合器ＯＡＤＭｂ(３１０ｂ)は、反時計方向に進むλ１，λ２，λ３，・・・，λＮ波長を有する光信号の分岐及び結合を遂行するように機能する。
【００２７】
図示のように、光分岐結合器３１０ａ，３１０ｂは、１×ＮのＷＤＭ逆多重化器(ＤＥＭＵＸ)３１２、１×ＮのＷＤＭ逆多重化器(ＭＵＸ)３１４、及びＮ個の２×２光スイッチ３１６−１，３１６−２，・・・，３１６−Ｎを備える。そして、光増幅器３１１ａ，３１２ａが、逆多重化器３１２の入力ポート及び多重化器３１４の出力ポートにそれぞれ連結されている。光増幅器３１１ａは、伝送リンクの損失を補償するためのものであり、光増幅器３１２ａは、光分岐結合器の挿入損失を補償するためのものである。
【００２８】
循環器４１０ａ，４１０ｂ，４２０ａ，４２０ｂはすべて３本のポートを有しており、ポート＃１に入力された信号はポート＃２に出力し、ポート＃２に入力された信号はポート＃３に出力するように構成されている。循環器４１０ａのポート＃３は光増幅器３１１ａの入力に連結され、循環器４２０ａのポート＃１は光増幅器３１２ｂの出力に連結される。循環器４１０ａのポート＃１は、２×２光スイッチング装置２１０ａの出力＃２（ｏ２）に連結され、循環器４１０ａのポート＃２は２×２光スイッチング装置２１０ａの出力＃１（ｏ１）に連結される。２×２光スイッチング装置２１０ａの入力＃１（ｉ１）は、時計方向に伝送される多重化光信号λ１，λ２，λ３，・・・，λＮを受信し、２×２光スイッチング装置２１０ａの入力＃２（ｉ２）は、光スイッチング装置２２０ａからループバックされてくる光信号を受信するために、２×２光スイッチング装置２２０ａの出力＃２（ｏ２）に連結される。２×２光スイッチング装置２１０ａを２×２光スイッチング装置２２０ａに連結するための光ファイバリンク７は、光増幅器３１３ａを備え、ループバックされて伝送される信号の損失を補償する。
【００２９】
図３に示すように、循環器４２０ａと光スイッチング装置２２０ａとの連結について、循環器４２０ａのポート＃１は光増幅器３１２ａの出力に連結され、循環器４２０ａのポート＃２は２×２光スイッチング装置２２０ａの入力＃１（ｉ１）に連結され、循環器４２０ａのポート＃３は２×２光スイッチング装置２２０ａの入力＃２（ｉ２）に連結される。
【００３０】
前述したように、環状網が正常動作する場合、２×２光スイッチング装置２１０ａ，２１０ｂ，２２０ａ，２２０ｂは平行状態(bar)にあるので、入力＃１（ｉ１）に印加された信号は出力＃１（ｏ１）に伝達され、入力＃２（ｉ２）に印加された信号は出力＃２（ｏ２）に伝達される。すなわち、平行状態の場合、光スイッチング装置２１０ａの出力＃１（ｏ１）に伝達された信号は、循環器４１０ａのポート＃２に入力されて該循環器４１０ａのポート＃３から出力される。しかし、障害が発生する場合、障害が発生したリンクの両端に位置した光スイッチング装置が交差状態(cross state)になるので、入力＃１（ｉ１）に印加された信号は出力＃２（ｏ２）に伝達され、入力＃２（ｉ２）に印加された信号は出力＃１（ｏ１）に伝達される。 例えば、正常時に光スイッチング装置２２０ａの出力＃１（ｏ１）に出力されて伝送される信号は、異常時に発せられる所定の制御信号(図示省略)によって光スイッチング装置２２０ａの状態が交差状態に設定されることにより、出力＃２（ｏ２）から光増幅器３１３ａを通じて光スイッチング装置２１０ａの入力＃２（ｉ２）に入力されるようにループバックされる。
【００３１】
図４Ａ〜図４Ｃは、双方向環状光通信網のノードの状態を詳細に示した例である。以下、光分岐結合器及び２×２光スイッチング装置の説明において、図２（ａ）及び図２（ｂ）の光分岐結合器３１０ａと光分岐結合器３２０ａとの間の光ファイバリンクに障害が発生した場合を例にあげて説明する。
【００３２】
双方向環状光通信網の保護切替え過程を遂行するためには、各ノードの光スイッチング装置が３つの状態のうち１つの状態になる。一番目は、障害が発生したリンクの左側(反時計方向側)に隣接したノードの光スイッチング装置の場合、二番目は、障害が発生したリンクに隣接していないノードのスイッチング装置の場合、三番目は、障害が発生したリンクの右側(時計方向側)に隣接したノードの光スイッチング装置の場合である。
【００３３】
図４Ａは、障害が発生したリンクの左側(反時計方向側)に位置したノードを示す。図２（ａ）及び図２（ｂ）に沿って説明すると、時計方向に伝送される光信号λ１，λ２，λ３，・・・，λＮが光ファイバリンク６の障害によって伝送できなくなり、これに従い光スイッチング装置２２０ａが、所定のスイッチング制御信号(図示省略)に応じて、光伝送リンク６を通じて時計方向に進行すべき光信号を反対方向にループバックするようにスイッチングする。すなわち、光スイッチング装置２２０ａは、入力＃１ｂ（ｉ１ｂ）へ伝達される光信号を出力＃２ｂ（ｏ２ｂ）にループバックする(太い実線)。このようにループバックされた信号(太い点線)は、反時計方向に光増幅器３１３ａを通じて光スイッチング装置２１０ａの入力＃２ａ（ｉ２ａ）に伝達される（太い点線）。 光スイッチング装置２１０ａの入力＃２ａ（ｉ２ａ）から出力＃２ａ（ｏ２ａ）に伝達された信号は、循環器４１０ａのポート＃１を通じてポート＃２に出力され、光スイッチング装置２１０ａの出力＃１ａ（ｏ１ａ）及び入力＃１ａ（ｉ１ａ）を通じて反時計方向に伝送される。図４Ａにおいて、光スイッチング装置２２０ａでの細い一点鎖線は何の信号も伝達されないことを示す。
【００３４】
図４Ｂは、障害が発生したリンクに隣接していないノードであって、ループバックされた信号と時計方向に進行する正常信号とが、循環器及びスイッチング装置を利用して互いに反対方向に進行することを示す。
【００３５】
図２（ａ）及び図２（ｂ）に沿って説明すると、光ファイバリンクに障害が発生すると、正常な光信号λ１，λ２，λ３，・・・，λＮは時計方向、すなわち、光スイッチング装置２７０ａから光スイッチング装置２８０ａへ伝送され（太い実線）、ループバックされてきた光信号λ１，λ２，λ３，・・・，λＮは反時計方向、すなわち、光スイッチング装置２８０ａから光スイッチング装置２７０ａへ伝送される（太い点線）。
【００３６】
光スイッチング装置２８０ａは、出力＃１ｂ（ｏ１ｂ）に入ってくる光信号を入力＃１ｂ（ｉ１ｂ）へ出力する。前述したように、光スイッチング装置は、入力及び出力信号の方向性を変更するだけなので、逆方向に伝送される信号でも光スイッチング装置によってまったく影響を受けない。
【００３７】
光スイッチング装置２８０ａの入力＃１ｂ（ｉ１ｂ）に出力された光信号は、循環器４８０ａのポート＃２へ伝達されてポート＃３から出力される。循環器４８０ａのポート＃３に出力された光信号は、増幅器３４３ａを通じて光スイッチング装置２７０ａの入力＃２ａ（ｉ２ａ）に反時計方向に伝達される。光スイッチング装置２７０ａの入力＃２ａ（ｉ２ａ）に伝達された光信号は、出力＃２ａ（ｏ２ａ）から出力されて循環器４７０ａのポート＃１に入力される。そして、循環器４７０ａのポート＃１を通じてポート＃２に出力され、光スイッチング装置２７０ａの出力＃１ａ（ｏ１ａ）に入力される。光スイッチング装置２７０ａの出力＃１ａ（ｏ１ａ）に伝達された光信号は、入力＃１ａ（ｉ１ａ）を通じて反時計方向に伝送される。
【００３８】
図４Ｃは、障害が発生したリンクの右側(時計方向側)に位置したノードを示す。反時計方向にループバックされて伝送されてきた光信号λ１，λ２，λ３，・・・，λＮは、元来の時計方向に伝送されるべき信号であるので、これを光スイッチング装置及び循環器を利用して元来の方向に戻るようにする。
【００３９】
図２（ａ）及び図２（ｂ）をさらに参照すると、反時計方向にループバックされて伝送された光信号λ１，λ２，λ３，・・・，λＮがスイッチング装置２４０ａを通じて循環器４４０ａのポート＃２に入力される。循環器４４０ａのポート＃２を通じてポート＃３に出力された光信号(太い点線)は、増幅器３３３ａを通じて光スイッチング装置２３０ａの入力＃２ａ（ｉ２ａ）に反時計方向に伝達される。光スイッチング装置２３０ａは、入力＃２ａ（ｉ２ａ）に伝達された光信号を、所定のスイッチング制御信号(図示省略)によって時計方向にループバックするようにスイッチングする。すなわち、光スイッチング装置２３０ａは、入力＃２ａ（ｉ２ａ）へ伝達される光信号を出力＃１ａ（ｏ１ａ）にループバックする(太い実線)。このようにループバックされた信号(太い点線)は、光スイッチング装置２４０ａを通じて時計方向に伝送される。
【００４０】
以上、本発明の詳細について具体的な実施形態に基づき説明してきたが、本発明の範囲を逸脱しない限り、各種の変形が可能なのは明らかである。従って、本発明の範囲は、上記実施形態に限るものでなく、特許請求の範囲のみならず、その範囲と均等なものにより定められるべきである。
【図面の簡単な説明】
【００４１】
【図１】一般的なＷＤＭ方式の環状光通信網の構造を示す図。
【図２】本発明による循環器を備えた光分岐結合器及び２×２光スイッチング装置を利用するＷＤＭ方式の自己回復環状光通信網の構造を示す図。
【図３】本発明による光分岐結合器及び２×２光スイッチング装置の詳細例を示す図。
【図４】復旧切替え過程を遂行するように構成された本発明に係る双方向環状光通信網のノード状態を詳細に説明する図。
【図１】
2004242314.tif 000003
【図２】
2004242314.tif 000004
【図３】
2004242314.tif 000005
【図４】
2004242314.tif 000006